(57)【要約】【課題】  落下防止杆のどこを持ってもスムーズに開閉可能で確実に物品の落下を防止可能な落下防止装置を提供することである。【解決手段】  本発明の落下物防止装置１０は、収納開口８６を横断する落下防止位置と、収納開口８６を開放する退避位置とに位置変更可能な左右方向に横長の落下防止杆１２と、一方の側で落下防止杆１２が架け渡される一対の支持腕部４０と、支柱８２ａ、８２ｂに取り付けられ、開口部２２を有する係止溝２１と支持長穴２５とを備える一対の取付具２０と、一対の支持腕部４０の他方の側で回動可能に架け渡され、その両端部が支持長穴２５に嵌入される支持杆３０と、一方に支持杆３０が回動不可に取り付けられ、他方が一対の取付具２０の各々に回動可能に軸支される一対の揺動部５０と、を概略具備している。【選択図】図１
2014217727.tif 000002
【特許請求の範囲】
【請求項１】
複数の支柱と、該複数の支柱間に架け渡される棚板とからなる収納棚の収納開口に配置される落下防止装置であって、
前記収納開口を横断する落下防止位置と前記収納開口を開放する退避位置とに位置変更可能な落下防止杆と、
一方の側で前記落下防止杆が架け渡される一対の支持腕部と、
前記支柱に取り付けられ、開口部を有する係止溝と支持長穴とを備える一対の取付具と、
前記一対の支持腕部の他方の側で回動可能に架け渡され、その両端部が前記支持長穴に嵌入される支持杆と、
一方に前記支持杆が回動不可に取り付けられ、他方が前記一対の取付具の各々に回動可能に軸支される一対の揺動部と、
を具備することを特徴とする落下防止装置。
【請求項２】
さらに補助落下防止杆を備えることを特徴とする請求項１に記載の落下防止装置
【発明の詳細な説明】
【技術分野】
【０００１】  本発明は、地震等により什器、本棚等の収納棚が振動しても収納棚の棚板に載置された物品の落下や飛び出しを防止する落下防止装置に関する。
【背景技術】
【０００２】  従来、地震や意図しない何らかの物品の衝突等における振動、揺れ及び傾きで収納棚の棚板に載置された物品の落下や飛び出しを防止する装置が種々提案されている。【０００３】  たとえば、特許文献１に開示される落下防止装置は、略中央部から下部にかけて長孔状にのびる軸支孔と、略中央部から上部に向かい、上端が開口した溝状の支持部とを備える、キャビネットの左右両側板の内面前側に取り付けられる一対のベース部材と、左右両側片と水平片とを有する略コ字形の部材であり、左右両側片の中程より下側が内側に略コ字形に折れ曲がり、折曲部が形成され、この折曲部の外側方に向かう先端部においてベース部材の軸支孔に軸支される、キャビネットの前方を上下に回動する落下防止バーとを備えている。【０００４】  また、特許文献２に開示される棚用落下防止装置は、上方の係止口と下方の係止端部を連続させる案内溝を備える一対の係止部材と、一対の係止部材の各係止口から挿入及び抜脱が可能であるとともに案内溝の各係止口以外の部分からは抜脱が不能である一対の端部と、一対の係止部材の各係止端部に各端部が係止された状態において棚板の上方に横方向に沿って配置されることにより棚板上にある物品の落下を防止する押さえ棒部とを有する押さえバーと、を備えている。
【先行技術文献】
【特許文献】
【０００５】
【特許文献１】  特開２００６−０８７７０９号公報
【特許文献２】  特開２０１０−１８７８５０号公報
【発明の概要】
【発明が解決しようとする課題】
【０００６】  しかしながら、特許文献１の落下防止装置や特許文献２の棚用落下防止装置では、落下防止バー（押さえバー）が長穴に軸支された軸を中心に開閉する構成となっているため、開閉させるために落下防止バー等を持ち上げた際に落下防止バー等が棚板に対して斜めになってしまい、スムーズに開閉できない課題があった。
【課題を解決するための手段】
【０００７】  この発明の目的は、上述した事情に鑑みなされたもので、この発明の主たる目的は、落下防止杆のどこを持ってもスムーズに開閉可能な落下防止装置を提供することである。【０００８】  また、この発明の別の目的は、確実に物品の落下を防止可能な落下防止装置を提供することである。【０００９】  上述した課題を解決し、目的を達成するため、この発明に係わる落下防止装置は、請求項１の記載によれば、複数の支柱と、該複数の支柱間に架け渡される棚板とからなる収納棚の収納開口に配置される落下防止装置であって、前記収納開口を横断する落下防止位置と前記収納開口を開放する退避位置とに位置変更可能な落下防止杆と、一方の側で前記落下防止杆が架け渡される一対の支持腕部と、前記支柱に取り付けられ、開口部を有する係止溝と支持長穴とを備える一対の取付具と、前記一対の支持腕部の他方の側で回動可能に架け渡され、その両端部が前記支持長穴に嵌入される支持杆と、一方に前記支持杆が回動不可に取り付けられ、他方が前記一対の取付具の各々に回動可能に軸支される一対の揺動部と、を具備することを特徴とする。【００１０】  また、上述した課題を解決し、目的を達成するため、この発明に係わる落下防止装置は、請求項２の記載によれば、さらに補助落下防止杆を備えることを特徴とする。
【発明の効果】
【００１１】  この発明によれば、落下防止杆のどこを持ってもスムーズに開閉可能な落下防止装置を提供することができる。【００１２】  また、この発明によれば、確実に物品の落下を防止可能な落下防止装置を提供することができる。
【図面の簡単な説明】
【００１３】
【図１】  収納開口を横断する落下防止位置となっている落下防止装置の斜視図
【図２】  棚板の側からみた収納開口を横断する落下防止位置となっている落下防止装置の拡大斜視図
【図３】  棚板の側からみた収納開口を横断する落下防止位置の解除が始まった落下防止装置の拡大斜視図
【図４】  棚板の側からみた収納開口を開放する退避位置に移行中の落下防止装置の拡大斜視図
【図５】  収納物を出し入れする側からみた収納開口を開放する退避位置になった落下防止装置の拡大斜視図
【発明を実施するための形態】
【実施例】
【００１４】  以下に図面を用いて本発明の実施例を説明する。なお、この実施例において、収納棚は工場や事務所または一般家庭でも使用されている組み立て式の収納棚としているが、これに限定される物ではなく、本棚や什器等の支柱等の棚側壁と棚板とからなる収納開口を有する収納棚であれば、本発明の落下防止装置が適用可能である。【００１５】  図１乃至図５を用いて、本発明の落下防止装置１０を説明する。図１は、収納開口を横断する落下防止位置となっている落下防止装置１０の斜視図である。図２は、棚板の側からみた収納開口を横断する落下防止位置となっている落下防止装置１０の拡大斜視図である。図３は、棚板の側からみた収納開口を横断する落下防止位置の解除が始まった落下防止装置１０の拡大斜視図である。図４は、棚板の側からみた収納開口を開放する退避位置に移行中の落下防止装置１０の拡大斜視図である。図５は、収納物を出し入れする側からみた収納開口を開放する退避位置になった落下防止装置１０の拡大斜視図である。【００１６】  図１乃至図５は、本発明の落下物防止装置１０が取り付けられた収納棚８０が示されている。この収納棚８０は、例えば鋼材製のアングル材や角パイプ材等からなり収納棚が設置される床面に立設される支柱８２ａ、８２ｂと図示しない２本の支柱、例えば鋼板や木材等からなりこれらの支柱に任意の上下間隔をもって架け渡されて各種物品が載置される棚板８４と図示しない棚板とから構成されている。【００１７】  また、収納棚８０の棚板８４へ物品を出し入れする側の支柱８２ａ、８２ｂと棚板８４と棚板８４の上方に配置される図示しない棚板とで囲まれる収納開口８６には、本発明の落下物防止装置１０が配置されている。【００１８】  本発明の落下物防止装置１０は、図１及び図２に示す収納開口８６を横断する落下防止位置と、図５に示す収納開口８６を開放する退避位置とに位置変更可能な左右方向（棚板８４と平行な方向）に横長の落下防止杆１２と、一方の側で落下防止杆１２が架け渡される一対の支持腕部４０と、支柱８２ａ、８２ｂに取り付けられ、開口部２２を有する係止溝２１と支持長穴２５とを備える一対の取付具２０と、一対の支持腕部４０の他方の側で回動可能に架け渡され、その両端部が支持長穴２５に嵌入される支持杆３０と、一方に支持杆３０が回動不可に取り付けられ、他方が一対の取付具２０の各々に回動可能に軸支される一対の揺動部５０と、を概略具備している。【００１９】  また、落下防止杆１２は、柱状の金属棒や該金属棒の表面にスポンジ等の緩衝材を巻き付けた横長の棒状部材であり、一方の側と他方の側で一対の支持腕部４０に架け渡されている。【００２０】  なお、落下防止杆１２の両側（一方の側と他方の側）と一対の支持腕部４０の接続部（架け渡しされている部分）は、落下防止杆１２を中心に支持腕部４０が回動しないように、溶接や螺合等で固定されていたり、図１乃至図５のように落下防止杆１２を角柱とし、落下防止杆１２が挿通される支持腕部４０の挿通穴を角形としたりしている。この結果、落下防止杆１２と一対の支持腕部４０は、落下防止杆１２を底辺とし一対の支持腕部４０を向かい合う２辺とするコの字の形状を呈している。【００２１】  また��支持腕部４０は、落下防止杆１２と支持杆３０の軸方向に垂直な板状部材で、その一方の側で落下防止杆１２が架け渡され、他方の側で支持杆３０の両側（一方の側と他方の側）で回動可能に架け渡されている。【００２２】  なお、この支持腕部４０は、図１乃至図５のように、落下防止杆１２と支持杆３０をがたつき等のない安定した状態で架け渡して保持するために、落下防止杆１２と支持杆３０の軸方向に垂直な向かい合った２枚の板状部材と該２枚の板状部材を接続する底面部材とで断面（落下防止杆１２と支持杆３０の軸方向に平行な面で切断した際の面）がコの字形状となっている。【００２３】  なお、支持腕部４０の一方の側での落下防止杆１２との接続は、上述の通り支持腕部４０に挿通された落下防止杆１２が回動しないようになっている。また、支持腕部４０に挿通された落下防止杆１２の端部側は支持腕部４０の板状部材から突出するようになっており、この突出する部分が取付具２０の係止溝２１に開口部２２を介して通されるようになっている。【００２４】  また、支持腕部４０の他方の側での支持杆３０の接続は、支持腕部４０に挿通された支持杆３０が回動可能となっている。また、支持腕部４０に挿通された支持杆３０の端部側は支持腕部４０の板状部材から突出するようになっており、この突出する部分が取付具２０の支持長穴２５に嵌入されており、一対の支持腕部４０と落下防止杆１２と支持杆３０とで形成される方形がその形状を保ったまま、支持長穴２５に沿って上下移動（支柱８２ａ、８２ｂの軸方向での移動）可能となっている。【００２５】  このように、棚板８４上に載置される物品の落下を防止する一対の支持腕部４０と落下防止杆１２と支持杆３０とで形成される方形は、形状が崩れることがない落下防止杆１２を底辺とし一対の支持腕部４０を向かい合う２辺とするコの字の形状と、一対の支持腕部４０に架け渡される支持杆３０とから形成されているので、その方形の形状が崩れることはない、即ち、確実に物品の落下を防止可能となっている。【００２６】  また、一対の支持腕部４０と落下防止杆１２と支持杆３０とで形成される方形は支持杆３０を軸中心に回動可能となっているので、落下防止杆１２が収納開口８６を横断する落下防止位置と収納開口８６を開放する退避位置とに位置変更可能となっている。【００２７】  なお、この一対の支持腕部４０と落下防止杆１２と支持杆３０とで形成される方形には、落下防止杆１２と支持杆３０とに平行となるように一対の支持腕部４０に架け渡されて落下防止杆１２と支持杆３０の間から物品が落下することを防止する補助落下防止杆１４がさらに備えられている。【００２８】  また、一対の取付具２０は、支柱８２ａ、８２ｂに取り付けられる部材であり、開口部２２を有し、支柱８２ａ、８２ｂの軸方向に平行な溝となる係止溝２１と、支柱８２ａ、８２ｂの軸方向に平行な長穴となる支持長穴２５とを備えている。【００２９】  なお、この一対の取付具２０の支柱８２ａ、８２ｂへの取り付けは、支柱に予め設けられた穴や溝を利用してネジ止めや掛け止めとしても良いし、図１乃至図５のように、円柱である支柱を向かい合って挟み込む取付補助具２９を利用する等、支柱に取り付ける方法はどの���うな方式でも良い。【００３０】  また、この取付具２０の係止溝２１の開口部２２は、図１乃至図５においては上端となっており、支持腕部４０に挿通されて突出した落下防止杆１２の端部が、当該上端から係止溝２２に通されるようになっている。なお、この開口部２２は、例えば取付具２０の物品を出し入れする側の側面に設けて、横方向（支柱８２ａ、８２ｂの軸方向に垂直）の溝から係止溝２１に接続する構成としても良い。【００３１】  この取付具２０の支持長穴２５には、支持腕部４０に挿通されて突出した支持杆３０の端部が嵌入されて、一対の支持腕部４０と落下防止杆１２と支持杆３０とで形成される方形がその形状を保ったまま、支持長穴２５に沿って上下移動可能となっており、この上下移動により落下防止杆１２の端部が開口部２２を介して係止溝２２に通されたり外されたりするようになっている。【００３２】  また、支持杆３０は、柱状の金属棒等の横長の棒状部材であり、一方の側と他方の側で一対の支持腕部４０に架け渡されている。【００３３】  なお、支持杆３０の両側（一方の側と他方の側）と一対の支持腕部４０の接続部（架け渡しされている部分）は、支持杆３０を中心に支持腕部４０が回動可能となっている。【００３４】  このような構成により、支持杆３０は、その両端が支持長穴２５に嵌入された状態を保ったまま上下移動（支柱８２ａ、８２ｂの軸方向での移動）すると共に、支持杆３０を軸中心に一対の支持腕部４０と落下防止杆１２と支持杆３０とで形成される方形が回動するようになっている。【００３５】  また、一対の揺動部５０は、一方に支持杆３０の一方の側が回動不可に取り付けられ、他方が取付具２０に回動可能に軸支されている。また、図５に示される通り、揺動部５０は平板状であり、その一方の支持杆３０が挿通される挿通穴は支持杆３０の角柱形状に合わせて角形としたり、溶接したりすることで回動不可となっている。この結果、支持杆３０と一対の揺動部５０は、支持杆３０を底辺とし一対の揺動部５０を向かい合う２辺とするコの字の形状を呈している。【００３６】  また、揺動部５０の他方には、平板の取付具２０を延長するように突出する取付具突出部２８に設けられた軸受け穴に挿通される揺動軸部５２が設けられており、揺動部５０は取付具２０に軸支されることになる。【００３７】  このように、支持杆３０を底辺とし一対の揺動部５０を向かい合う２辺とするコの字の形状はその形状が崩れることがなく、揺動部５０はその他方に設けられた揺動軸部５２を軸中心として軸支されており、かつ、支持杆３０の両端が支持長穴２５に嵌入されているので、当該コの字の形状が揺動軸部５２を軸中心として回動する際には支持杆３０はいつでも取付具２０の平板面に対して垂直、即ち支持杆３０は棚板８４の棚板面に対して水平を保ったまま上下移動することになる。【００３８】  この結果、一対の支持腕部４０と落下防止杆１２と支持杆３０とで形成される方形は、支持長穴２５に沿って上下移動する際に、いつでも棚板８４の棚板面に対して水平を保ったままとなるので、落下防止杆１２のどこを持っても傾くことがない、即ちスムーズに上下移動が出来る落下防止装置１０とすることが可能となる。【００３９】  こ��ような本発明の落下防止装置１０の特徴は、特に収納棚８０の収納開口８６の間口が広くて落下防止杆１２の長さが長くなる場合に特に有効である。【００４０】  上記にて説明した本発明の落下防止装置１０を使用して、棚板８４に載置された物品が地震等による収納棚８０の振動を受けても落下や飛び出しを防止できる落下防止杆１２の落下防止位置から、該物品を自由に取り出すことができる落下防止杆１２の退避位置へ位置変更する手順について説明する。【００４１】  図２は、落下防止杆１２が収納開口８６を横断する落下防止位置となっている状態である。この状態から落下防止杆１２を持って上方向（支柱８２ａ、８２ｂの軸方向であり収納棚８０の設置面から離間する方向）に持ち上げる。【００４２】  この結果、図３に示すとおり、揺動部５０が揺動軸部５２を軸中心として回動し、支持杆３０と支持杆３０に一対の支持腕部４０を介して取り付けられている落下防止杆１２が棚板８４の棚板面に対して水平を保ったまま上方向に移動する。【００４３】  この状態で、さらに落下防止杆１２を上方向に持ち上げると、図４に示すとおり、落下防止杆１２の両端の端部が係止溝２１の開口部２２より高い位置に移動するので、一対の支持腕部４０と落下防止杆１２と支持杆３０とで形成される方形を支持杆３０を軸中心に回動させることが可能となり、落下防止杆１２を収納開口８６の手前側（支柱８２ａ、８２ｂから離間する方向）に移動させることができる。【００４４】  この後、図５に示すとおり、落下防止杆１２を下方向に移動させることにより、落下防止杆１２は収納開口８６を開放する退避位置への位置変更が完了する。なお、落下防止杆１２を待避位置から落下防止位置へ位置変更する手順は、上記手順の逆を行えばよい。【００４５】  以上のように、本発明の転落防止装置１０は、落下防止杆１２の退避位置から落下防止位置への位置変更、及び落下防止位置から退避位置への位置変更が非常に容易であり、片手でも位置変更可能となっている。【００４６】  また、揺動軸部５２を軸中心として回動する支持杆３０と一対の揺動部５０とからなるコの字の形状部と、支持杆３０を軸中心として回動する落下防止杆１２と一対の支持腕部４０とからなるコの字の形状部の協働により、落下防止杆１２はどこを持ってもスムーズに開閉可能（待避位置と落下防止位置の位置変更がスムーズで容易）となっている。
【符号の説明】
【００４７】１０・・落下物防止装置、１２・・落下防止杆、１４・・補助落下防止杆、２０・・一対の取付具、２１・・係止溝、２２・・開口部、２５・・支持長穴、２８・・取付具突出部、２９・・取付補助具、３０・・支持杆、４０・・一対の支持腕部、５０・・一対の揺動部、５２・・揺動軸部、８０・・収納棚、８２ａ、８２ｂ・・支柱、８４・・棚板、８６・・収納開口
【図１】
2014217727.tif 000003
【図２】
2014217727.tif 000004
【図３】
2014217727.tif 000005
【図４】
2014217727.tif 000006
【図５】
2014217727.tif 000007